(57)【要約】【課題】本発明は車用緊急脱出ハンマーを開示した。【解決手段】ハンマー取り付け台を含み、前記ハンマー取り付け台を中心に二つの固定機構が対称的に設けられ、左側の前記固定機構を例にし、前記固定機構は前記ハンマー取り付け台の中に位置しているトーション溝を含み、前記トーション溝の前端壁の中には左右端壁が外部に連通している横溝が設けられ、前記横溝の前端壁の中には制限溝が設けられる；本発明は取り付けが簡単であり、条件が満たされた時だけに取り出すことができ、子供がいたずらで取ることができなく、これにより必要の時にすぐ取ることができ、緊急状況で使用者の身の安全を守ることができ、日常の状況で意外にアラーム音が鳴ることもない。【選択図】図１
2020169012.tif 000002
【特許請求の範囲】
【請求項１】
ハンマー取り付け台を含み、前記ハンマー取り付け台を中心に二つの固定機構が対称的に設けられ、左側の前記固定機構を例にし、前記固定機構は前記ハンマー取り付け台の中に位置しているトーション溝を含み、前記トーション溝の前端壁の中には左右端壁が外部に連通している横溝が設けられ、前記横溝の前端壁の中には制限溝が設けられ、前記横溝と前記制限溝とが円溝によって連通され、前記トーション溝の後端壁には前端が前記横溝と前記円溝とを貫通しており、かつ前記制限溝の前端壁と回転できるように連結されたトーション軸が回転できるように設けられ、前記トーション溝の中のトーション軸と前記トーション溝との間にはトーションバネが設けられ、前記横溝の中のトーション軸にはリールが固定的に設けられ、前記制限溝の中のトーション軸には伝動歯車が固定的に設けられ、前記制限溝の上端壁には移動溝が設けられ、前記移動溝の中には移動ブロックがスライドできるように設けられ、前記移動ブロックの下端面には下端が前記制限溝の中に位置している移動ロッドが固定され、前記移動ロッドの下端には前記伝動歯車と噛合し伝動された制限ロッドが固定的に設けられ、前記制限ロッドの左端面と前記制限溝の左端壁とが制限バネによって固定的に連結され、前記ハンマー取り付け台を中心にまた二つの切り替え機構が左右に対称的に設けられ、左側の前記切り替え機構を例にし、前記ハンマー取り付け台の左側には弧形ブロックが設けられ、前記弧形ブロックの右端面には右方に開口した弧形溝が設けられ、前記弧形溝の後端壁には支えロッドが固定的に設けられ、前記支えロッドには右端が前記ハンマー取り付け台の左端面と固定的に連結された定位ロッドが回転できるように設けられ、前記定位ロッドの中には定位溝が設けられ、前記支えロッドが前記定位溝の上下端壁を貫通しており、かつ前記支えロッドと前記定位溝との間には定位バネが設けられ、前記弧形ブロックの右端面の上側と前記リールとがロープによって連結され、また、前記弧形ブロックが回転して前記ロープによって前記リールを回転連動させることができ、前記伝動歯車と前記制限ロッドの噛合によって前記制限ロッドを運動連動させることを特徴とする車用緊急脱出ハンマー。
【請求項２】
前記ハンマー取り付け台の中には上方に開口した保存溝が設けられ、前記保存溝の中には上端が外部に位置しているハンマー柄がスライドできるように設けられ、前記ハンマー柄の上端にはハンマーヘッドが固定され、前記保存溝の中のハンマー柄の中には方形溝が左右に対称的に設けられ、前記制限ロッドの一端が前記方形溝の中に位置しており、また、前記制限ロッドは前記ハンマー柄が前記保存溝の中でスライドすることを止めることができることを特徴とする請求項１に記載の車用緊急脱出ハンマー。
【請求項３】
前記ハンマー取り付け台の外側には環状ブロックが設けられ、前記環状ブロックの中には縦溝が上下に対称的に設けられ、上側の前記縦溝を例にし、前記縦溝の左端壁には弾性溝が設けられ、前記弾性溝の下端壁には弾性バネが固定的に設けられ、前記弾性バネの上端には前記弾性溝とスライドできるように連結された弾性ブロックが固定され、前記弾性ブロックの右端面には右端が前記縦溝の中に位置している弾性ロッドが固定的に設けられ、前記弾性ロッドの右端には上端が外部に位置している押しブロックが固定的に設けられ、前記ハンマー取り付け台の中には環状溝が設けられ、前記環状溝の中には二つの弧形面ブロックが対称的にスライドできるように設けられ、前記弧形面ブロックには前記環状ブロックと固定的に連結された斜めロッドが固定的に設けられ、また、前記環状ブロックを回転させると、前記押しブロックを前記弧形ブロックの位置に回転させることができ、前記押しブロックを押すと、前記弧形ブロックを回転させることができることを特徴とする請求項１に記載の車用緊急脱出ハンマー。
【発明の詳細な説明】
【技術分野】
【０００１】
本発明は車分野を取り上げて、具体的には車用緊急脱出ハンマーである。
【背景技術】
【０００２】
車用緊急脱出ハンマーは車内に取り付けられ、緊急状態では、車用緊急脱出ハンマーを使って車のガラスを打ち破って脱出することができ、基本的な要求は取り付けが便利で取り出しが簡単であり、しかし現有の車用緊急脱出ハンマーの出し入れがあまり合理的ではなく、意外に取り出され、アラーム音が鳴り、必要以上のパニックを起こす。
【先行技術文献】
【特許文献】
【０００３】
【特許文献１】中国特許出願公開第１０７３６３７８８号明細書
【発明の概要】
【発明が解決しようとする課題】
【０００４】
本発明の目的は車用緊急脱出ハンマーを提供し、それは上記の現在の技術中の問題を解決できる。
【課題を解決するための手段】
【０００５】
上記の課題を解決するため、本発明は以下の技術プランを採用する：車用緊急脱出ハンマーは、ハンマー取り付け台を含み、前記ハンマー取り付け台を中心に二つの固定機構が対称的に設けられ、左側の前記固定機構を例にし、前記固定機構は前記ハンマー取り付け台の中に位置しているトーション溝を含み、前記トーション溝の前端壁の中には左右端壁が外部に連通している横溝が設けられ、前記横溝の前端壁の中には制限溝が設けられ、前記横溝と前記制限溝とが円溝によって連通され、前記トーション溝の後端壁には前端が前記横溝と前記円溝とを貫通しており、かつ前記制限溝の前端壁と回転できるように連結されたトーション軸が回転できるように設けられ、前記トーション溝の中のトーション軸と前記トーション溝との間にはトーションバネが設けられ、前記横溝の中のトーション軸にはリールが固定的に設けられ、前記制限溝の中のトーション軸には伝動歯車が固定的に設けられ、前記制限溝の上端壁には移動溝が設けられ、前記移動溝の中には移動ブロックがスライドできるように設けられ、前記移動ブロックの下端面には下端が前記制限溝の中に位置している移動ロッドが固定され、前記移動ロッドの下端には前記伝動歯車と噛合し伝動された制限ロッドが固定的に設けられ、前記制限ロッドの左端面と前記制限溝の左端壁とが制限バネによって固定的に連結され、前記ハンマー取り付け台を中心にまた二つの切り替え機構が左右に対称的に設けられ、左側の前記切り替え機構を例にし、前記ハンマー取り付け台の左側には弧形ブロックが設けられ、前記弧形ブロックの右端面には右方に開口した弧形溝が設けられ、前記弧形溝の後端壁には支えロッドが固定的に設けられ、前記支えロッドには右端が前記ハンマー取り付け台の左端面と固定的に連結された定位ロッドが回転できるように設けられ、前記定位ロッドの中には定位溝が設けられ、前記支えロッドが前記定位溝の上下端壁を貫通しており、かつ前記支えロッドと前記定位溝との間には定位バネが設けられ、前記弧形ブロックの右端面の上側と前記リールとがロープによって連結され、また、前記弧形ブロックが回転して前記ロープによって前記リールを回転連動させることができ、前記伝動歯車と前記制限ロッドの噛合によって前記制限ロッドを運動連動させる。
【０００６】
有益的には、前記ハンマー取り付け台の中には上方に開口した保存溝が設けられ、前記保存溝の中には上端が外部に位置しているハンマー柄がスライドできるように設けられ、前記ハンマー柄の上端にはハンマーヘッドが固定され、前記保存溝の中のハンマー柄の中には方形溝が左右に対称的に設けられ、前記制限ロッドの一端が前記方形溝の中に位置しており、また、前記制限ロッドは前記ハンマー柄が前記保存溝の中でスライドすることを止めることができる。
【０００７】
有益的には、前記ハンマー取り付け台の外側には環状ブロックが設けられ、前記環状ブロックの中には縦溝が上下に対称的に設けられ、上側の前記縦溝を例にし、前記縦溝の左端壁には弾性溝が設けられ、前記弾性溝の下端壁には弾性バネが固定的に設けられ、前記弾性バネの上端には前記弾性溝とスライドできるように連結された弾性ブロックが固定され、前記弾性ブロックの右端面には右端が前記縦溝の中に位置している弾性ロッドが固定的に設けられ、前記弾性ロッドの右端には上端が外部に位置している押しブロックが固定的に設けられ、前記ハンマー取り付け台の中には環状溝が設けられ、前記環状溝の中には二つの弧形面ブロックが対称的にスライドできるように設けられ、前記弧形面ブロックには前記環状ブロックと固定的に連結された斜めロッドが固定的に設けられ、また、前記環状ブロックを回転させると、前記押しブロックを前記弧形ブロックの位置に回転させることができ、前記押しブロックを押すと、前記弧形ブロックを回転させることができる。
【発明の効果】
【０００８】
本発明は取り付けが簡単であり、条件が満たされた時だけに取り出すことができ、子供がいたずらで取ることができなく、これにより必要の時にすぐ取ることができ、緊急状況で使用者の身の安全を守ることができ、日常の状況で意外にアラーム音が鳴ることもない。
【図面の簡単な説明】
【０００９】
以下、図１−４を合わせて本発明について詳しく説明し、また、説明の便利を図るため、下記に記載の上下左右前後方向が図１自身の投影関係の上下左右前後方向と一致することにする。
【００１０】
【図１】図１は本発明の車用緊急脱出ハンマーの全体断面の正面構成略図である；
【図２】図２は本発明の車用緊急脱出ハンマーの全体断面の下面構成略図である；
【図３】図３は本発明の車用緊急脱出ハンマーのハンマー柄の正面断面構成略図である；
【図４】図４は本発明の車用緊急脱出ハンマーの斜めロッドの正面断面構成略図である。
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１−４を参照し、本発明の車用緊急脱出ハンマーは、ハンマー取り付け台２６を含み、前記ハンマー取り付け台２６を中心に二つの固定機構５１が対称的に設けられ、左側の前記固定機構５１を例にし、前記固定機構５１は前記ハンマー取り付け台２６の中に位置しているトーション溝３７を含み、前記トーション溝３７の前端壁の中には左右端壁が外部に連通している横溝２２が設けられ、前記横溝２２の前端壁の中には制限溝３４が設けられ、前記横溝２２と前記制限溝３４とが円溝３６によって連通され、前記トーション溝３７の後端壁には前端が前記横溝２２と前記円溝３６とを貫通しており、かつ前記制限溝３４の前端壁と回転できるように連結されたトーション軸２３が回転できるように設けられ、前記トーション溝３７の中のトーション軸２３と前記トーション溝３７との間にはトーションバネ３８が設けられ、前記横溝２２の中のトーション軸２３にはリール２５が固定的に設けられ、前記制限溝３４の中のトーション軸２３には伝動歯車３３が固定的に設けられ、前記制限溝３４の上端壁には移動溝４１が設けられ、前記移動溝４１の中には移動ブロック４２がスライドできるように設けられ、前記移動ブロック４２の下端面には下端が前記制限溝３４の中に位置している移動ロッド４０が固定され、前記移動ロッド４０の下端には前記伝動歯車３３と噛合し伝動された制限ロッド３２が固定的に設けられ、前記制限ロッド３２の左端面と前記制限溝３４の左端壁とが制限バネ３５によって固定的に連結され、前記ハンマー取り付け台２６を中心にまた二つの切り替え機構５０が左右に対称的に設けられ、左側の前記切り替え機構５０を例にし、前記ハンマー取り付け台２６の左側には弧形ブロック１１が設けられ、前記弧形ブロック１１の右端面には右方に開口した弧形溝１５が設けられ、前記弧形溝１５の後端壁には支えロッド１３が固定的に設けられ、前記支えロッド１３には右端が前記ハンマー取り付け台２６の左端面と固定的に連結された定位ロッド１４が回転できるように設けられ、前記定位ロッド１４の中には定位溝２８が設けられ、前記支えロッド１３が前記定位溝２８の上下端壁を貫通しており、かつ前記支えロッド１３と前記定位溝２８との間には定位バネ１２が設けられ、前記弧形ブロック１１の右端面の上側と前記リール２５とがロープ２４によって連結され、また、前記弧形ブロック１１が回転して前記ロープ２４によって前記リール２５を回転連動させることができ、前記伝動歯車３３と前記制限ロッド３２の噛合によって前記制限ロッド３２を運動連動させる。
【００１３】
有益的には、前記ハンマー取り付け台２６の中には上方に開口した保存溝２９が設けられ、前記保存溝２９の中には上端が外部に位置しているハンマー柄３０がスライドできるように設けられ、前記ハンマー柄３０の上端にはハンマーヘッド４３が固定され、前記保存溝２９の中のハンマー柄３０の中には方形溝３１が左右に対称的に設けられ、前記制限ロッド３２の一端が前記方形溝３１の中に位置しており、また、前記制限ロッド３２は前記ハンマー柄３０が前記保存溝２９の中でスライドすることを止めることができる。
【００１４】
有益的には、前記ハンマー取り付け台２６の外側には環状ブロック１０が設けられ、前記環状ブロック１０の中には縦溝２１が上下に対称的に設けられ、上側の前記縦溝２１を例にし、前記縦溝２１の左端壁には弾性溝１６が設けられ、前記弾性溝１６の下端壁には弾性バネ１７が固定的に設けられ、前記弾性バネ１７の上端には前記弾性溝１６とスライドできるように連結された弾性ブロック１８が固定され、前記弾性ブロック１８の右端面には右端が前記縦溝２１の中に位置している弾性ロッド１９が固定的に設けられ、前記弾性ロッド１９の右端には上端が外部に位置している押しブロック２０が固定的に設けられ、前記ハンマー取り付け台２６の中には環状溝３９が設けられ、前記環状溝３９の中には二つの弧形面ブロック４４が対称的にスライドできるように設けられ、前記弧形面ブロック４４には前記環状ブロック１０と固定的に連結された斜めロッド２７が固定的に設けられ、また、前記環状ブロック１０を回転させると、前記押しブロック２０を前記弧形ブロック１１の位置に回転させることができ、前記押しブロック２０を押すと、前記弧形ブロック１１を回転させることができる。
【００１５】
以下、図１−４及び上記説明した本申請の車用緊急脱出ハンマーの具体的な構成を参照し、本申請の車用緊急脱出ハンマーの使用方法を説明する：初期状態では、トーションバネ３８が圧縮状態にある；
【００１６】
装置を車内の頂部やサイドなどの取り出しやすいところに固定し、環状ブロック１０を指定の位置まで回し、二つの押しブロック２０を押し、一つの押しブロック２０が左側の弧形ブロック１１を反時計回りに回転連動させ、左側のロープ２４を巻き、左側のリール２５を回転連動させ、これにより左側の伝動歯車３３を回転連動させ、左側の伝動歯車３３と左側の制限ロッド３２との噛合により、左側の制限ロッド３２を左へ運動連動させて左側の方形溝３１から離れさせる；
【００１７】
同時に、もう一つの押しブロック２０が右側の弧形ブロック１１を押し時計回りに回転させ、これにより右側をロープ２４を放し、右側のトーションバネ３８が復帰し、右側の伝動歯車３３を回転連動させ、右側の伝動歯車３３と右側の制限ロッド３２との噛合により、右側の制限ロッド３２を右に運動連動させて右側の方形溝３１から離れさせ、その時、ハンマー柄３０を保存溝２９から取り出して応急に使用することができ、使用後にまた環状ブロック１０を指定の位置に回し、同時に二つの押しブロック２０を押し、ハンマー柄３０を保存溝２９の中にいれて固定することができる。
【００１８】
本発明の有益効果は：本発明は取り付けが簡単であり、条件が満たされた時だけに取り出すことができ、子供がいたずらで取ることができなく、これにより必要の時にすぐ取ることができ、緊急状況で使用者の身の安全を守ることができ、日常の状況で意外にアラーム音が鳴ることもない。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020169012.tif 000003
【図２】
2020169012.tif 000004
【図３】
2020169012.tif 000005
【図４】
2020169012.tif 000006
【手続補正書】
【提出日】令和1年6月10日(2019.6.10)
【手続補正１】
【補正対象書類名】特許請求の範囲
【補正対象項目名】全文
【補正方法】変更
【補正の内容】
【特許請求の範囲】
【請求項１】
ハンマー取り付け台を含み、前記ハンマー取り付け台を中心に二つの固定機構が対称的に設けられ、左側の前記固定機構を例にし、前記固定機構は前記ハンマー取り付け台の中に位置しているトーション溝を含み、前記トーション溝の前側内壁の中には左右両端が外部に連通している横溝が設けられ、前記横溝の前側内壁の中には制限溝が設けられ、前記横溝と前記制限溝とが円溝によって連通され、前記トーション溝の後側内壁には前端が前記横溝と前記円溝とを貫通しており、かつ前記制限溝の前側内壁と回転できるように連結されたトーション軸が回転できるように設けられ、前記トーション溝の中のトーション軸と前記トーション溝との間にはトーションバネが設けられ、前記横溝の中のトーション軸にはリールが固定的に設けられ、前記制限溝の中のトーション軸には伝動歯車が固定的に設けられ、前記制限溝の上端壁には移動溝が設けられ、前記移動溝の中には移動ブロックがスライドできるように設けられ、前記移動ブロックの下端面には下端が前記制限溝の中に位置している移動ロッドが固定され、前記移動ロッドの下端には前記伝動歯車と噛合し伝動された制限ロッドが固定的に設けられ、前記制限ロッドの左端面と前記制限溝の左端壁とが制限バネによって固定的に連結され、前記ハンマー取り付け台を中心にまた二つの切り替え機構が左右に対称的に設けられ、左側の前記切り替え機構を例にし、前記ハンマー取り付け台の左側には弧形ブロックが設けられ、前記弧形ブロックの右端面には右方に開口した弧形溝が設けられ、前記弧形溝の後端壁には支えロッドが固定的に設けられ、前記支えロッドには右端が前記ハンマー取り付け台の左端面と固定的に連結された定位ロッドが回転できるように設けられ、前記定位ロッドの中には定位溝が設けられ、前記支えロッドが前記定位溝の上下端壁を貫通しており、かつ前記支えロッドと前記定位溝との間には定位バネが設けられ、前記弧形ブロックの右端面の上側と前記リールとがロープによって連結され、また、前記弧形ブロックが回転して前記ロープによって前記リールを回転連動させることができ、前記伝動歯車と前記制限ロッドの噛合によって前記制限ロッドを運動連動させ、
前記ハンマー取り付け台の中には上方に開口した保存溝が設けられ、前記保存溝の中には上端が外部に位置しているハンマー柄がスライドできるように設けられ、前記ハンマー柄の上端にはハンマーヘッドが固定され、前記保存溝の中のハンマー柄の中には方形溝が左右に対称的に設けられ、前記制限ロッドの一端が前記方形溝の中に位置しており、また、前記制限ロッドは前記ハンマー柄が前記保存溝の中でスライドすることを止めることができ、
前記ハンマー取り付け台の外側には環状ブロックが設けられ、前記環状ブロックの中には縦溝が上下に対称的に設けられ、上側の前記縦溝を例にし、前記縦溝の左端壁には弾性溝が設けられ、前記弾性溝の下端壁には弾性バネが固定的に設けられ、前記弾性バネの上端には前記弾性溝とスライドできるように連結された弾性ブロックが固定され、前記弾性ブロックの右端面には右端が前記縦溝の中に位置している弾性ロッドが固定的に設けられ、前記弾性ロッドの右端には上端が外部に位置している押しブロックが固定的に設けられ、前記ハンマー取り付け台の中には環状溝が設けられ、前記環状溝の中には二つの弧形面ブロックが対称的にスライドできるように設けられ、前記弧形面ブロックには前記環状ブロックと固定的に連結された斜めロッドが固定的に設けられ、また、前記環状ブロックを回転させると、前記押しブロックを前記弧形ブロックの位置に回転させることができ、前記押しブロックを押すと、前記弧形ブロックを回転させることができることを特徴とする車用緊急脱出ハンマー。
【手続補正２】
【補正対象書類名】明細書
【補正対象項目名】全文
【補正方法】変更
【補正の内容】
【発明の詳細な説明】
【技術分野】
【０００１】
本発明は車分野を取り上げて、具体的には車用緊急脱出ハンマーである。
【背景技術】
【０００２】
車用緊急脱出ハンマーは車内に取り付けられ、緊急状態では、車用緊急脱出ハンマーを使って車のガラスを打ち破って脱出することができ、基本的な要求は取り付けが便利で取り出しが簡単であり、しかし現有の車用緊急脱出ハンマーの出し入れがあまり合理的ではなく、意外に取り出され、アラーム音が鳴り、必要以上のパニックを起こす。
【先行技術文献】
【特許文献】
【０００３】
【特許文献１】中国特許出願公開第１０７３６３７８８号明細書
【発明の概要】
【発明が解決しようとする課題】
【０００４】
本発明の目的は車用緊急脱出ハンマーを提供し、それは上記の現在の技術中の問題を解決できる。
【課題を解決するための手段】
【０００５】
上記の課題を解決するため、本発明は以下の技術プランを採用する：車用緊急脱出ハンマーは、ハンマー取り付け台を含み、前記ハンマー取り付け台を中心に二つの固定機構が対称的に設けられ、左側の前記固定機構を例にし、前記固定機構は前記ハンマー取り付け台の中に位置しているトーション溝を含み、前記トーション溝の前側内壁の中には左右両端が外部に連通している横溝が設けられ、前記横溝の前側内壁の中には制限溝が設けられ、前記横溝と前記制限溝とが円溝によって連通され、前記トーション溝の後側内壁には前端が前記横溝と前記円溝とを貫通しており、かつ前記制限溝の前側内壁と回転できるように連結されたトーション軸が回転できるように設けられ、前記トーション溝の中のトーション軸と前記トーション溝との間にはトーションバネが設けられ、前記横溝の中のトーション軸にはリールが固定的に設けられ、前記制限溝の中のトーション軸には伝動歯車が固定的に設けられ、前記制限溝の上端壁には移動溝が設けられ、前記移動溝の中には移動ブロックがスライドできるように設けられ、前記移動ブロックの下端面には下端が前記制限溝の中に位置している移動ロッドが固定され、前記移動ロッドの下端には前記伝動歯車と噛合し伝動された制限ロッドが固定的に設けられ、前記制限ロッドの左端面と前記制限溝の左端壁とが制限バネによって固定的に連結され、前記ハンマー取り付け台を中心にまた二つの切り替え機構が左右に対称的に設けられ、左側の前記切り替え機構を例にし、前記ハンマー取り付け台の左側には弧形ブロックが設けられ、前記弧形ブロックの右端面には右方に開口した弧形溝が設けられ、前記弧形溝の後端壁には支えロッドが固定的に設けられ、前記支えロッドには右端が前記ハンマー取り付け台の左端面と固定的に連結された定位ロッドが回転できるように設けられ、前記定位ロッドの中には定位溝が設けられ、前記支えロッドが前記定位溝の上下端壁を貫通しており、かつ前記支えロッドと前記定位溝との間には定位バネが設けられ、前記弧形ブロックの右端面の上側と前記リールとがロープによって連結され、また、前記弧形ブロックが回転して前記ロープによって前記リールを回転連動させることができ、前記伝動歯車と前記制限ロッドの噛合によって前記制限ロッドを運動連動させる。
【０００６】
有益的には、前記ハンマー取り付け台の中には上方に開口した保存溝が設けられ、前記保存溝の中には上端が外部に位置しているハンマー柄がスライドできるように設けられ、前記ハンマー柄の上端にはハンマーヘッドが固定され、前記保存溝の中のハンマー柄の中には方形溝が左右に対称的に設けられ、前記制限ロッドの一端が前記方形溝の中に位置しており、また、前記制限ロッドは前記ハンマー柄が前記保存溝の中でスライドすることを止めることができる。
【０００７】
有益的には、前記ハンマー取り付け台の外側には環状ブロックが設けられ、前記環状ブロックの中には縦溝が上下に対称的に設けられ、上側の前記縦溝を例にし、前記縦溝の左端壁には弾性溝が設けられ、前記弾性溝の下端壁には弾性バネが固定的に設けられ、前記弾性バネの上端には前記弾性溝とスライドできるように連結された弾性ブロックが固定され、前記弾性ブロックの右端面には右端が前記縦溝の中に位置している弾性ロッドが固定的に設けられ、前記弾性ロッドの右端には上端が外部に位置している押しブロックが固定的に設けられ、前記ハンマー取り付け台の中には環状溝が設けられ、前記環状溝の中には二つの弧形面ブロックが対称的にスライドできるように設けられ、前記弧形面ブロックには前記環状ブロックと固定的に連結された斜めロッドが固定的に設けられ、また、前記環状ブロックを回転させると、前記押しブロックを前記弧形ブロックの位置に回転させることができ、前記押しブロックを押すと、前記弧形ブロックを回転させることができる。
【発明の効果】
【０００８】
本発明は取り付けが簡単であり、条件が満たされた時だけに取り出すことができ、子供がいたずらで取ることができなく、これにより必要の時にすぐ取ることができ、緊急状況で使用者の身の安全を守ることができ、日常の状況で意外にアラーム音が鳴ることもない。
【図面の簡単な説明】
【０００９】
以下、図１−４を合わせて本発明について詳しく説明し、また、説明の便利を図るため、下記に記載の上下左右前後方向が図１自身の投影関係の上下左右前後方向と一致することにする。
【００１０】
【図１】図１は本発明の車用緊急脱出ハンマーの全体断面の正面構成略図である；
【図２】図２は本発明の車用緊急脱出ハンマーの全体断面の下面構成略図である；
【図３】図３は本発明の車用緊急脱出ハンマーのハンマー柄の正面断面構成略図である；
【図４】図４は本発明の車用緊急脱出ハンマーの斜めロッドの正面断面構成略図である。
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１−４を参照し、本発明の車用緊急脱出ハンマーは、ハンマー取り付け台２６を含み、前記ハンマー取り付け台２６を中心に二つの固定機構５１が対称的に設けられ、左側の前記固定機構５１を例にし、前記固定機構５１は前記ハンマー取り付け台２６の中に位置しているトーション溝３７を含み、前記トーション溝３７の前側内壁の中には左右両端が外部に連通している横溝２２が設けられ、前記横溝２２の前側内壁の中には制限溝３４が設けられ、前記横溝２２と前記制限溝３４とが円溝３６によって連通され、前記トーション溝３７の後側内壁には前端が前記横溝２２と前記円溝３６とを貫通しており、かつ前記制限溝３４の前側内壁と回転できるように連結されたトーション軸２３が回転できるように設けられ、前記トーション溝３７の中のトーション軸２３と前記トーション溝３７との間にはトーションバネ３８が設けられ、前記横溝２２の中のトーション軸２３にはリール２５が固定的に設けられ、前記制限溝３４の中のトーション軸２３には伝動歯車３３が固定的に設けられ、前記制限溝３４の上端壁には移動溝４１が設けられ、前記移動溝４１の中には移動ブロック４２がスライドできるように設けられ、前記移動ブロック４２の下端面には下端が前記制限溝３４の中に位置している移動ロッド４０が固定され、前記移動ロッド４０の下端には前記伝動歯車３３と噛合し伝動された制限ロッド３２が固定的に設けられ、前記制限ロッド３２の左端面と前記制限溝３４の左端壁とが制限バネ３５によって固定的に連結され、前記ハンマー取り付け台２６を中心にまた二つの切り替え機構５０が左右に対称的に設けられ、左側の前記切り替え機構５０を例にし、前記ハンマー取り付け台２６の左側には弧形ブロック１１が設けられ、前記弧形ブロック１１の右端面には右方に開口した弧形溝１５が設けられ、前記弧形溝１５の後端壁には支えロッド１３が固定的に設けられ、前記支えロッド１３には右端が前記ハンマー取り付け台２６の左端面と固定的に連結された定位ロッド１４が回転できるように設けられ、前記定位ロッド１４の中には定位溝２８が設けられ、前記支えロッド１３が前記定位溝２８の上下端壁を貫通しており、かつ前記支えロッド１３と前記定位溝２８との間には定位バネ１２が設けられ、前記弧形ブロック１１の右端面の上側と前記リール２５とがロープ２４によって連結され、また、前記弧形ブロック１１が回転して前記ロープ２４によって前記リール２５を回転連動させることができ、前記伝動歯車３３と前記制限ロッド３２の噛合によって前記制限ロッド３２を運動連動させる。
【００１３】
有益的には、前記ハンマー取り付け台２６の中には上方に開口した保存溝２９が設けられ、前記保存溝２９の中には上端が外部に位置しているハンマー柄３０がスライドできるように設けられ、前記ハンマー柄３０の上端にはハンマーヘッド４３が固定され、前記保存溝２９の中のハンマー柄３０の中には方形溝３１が左右に対称的に設けられ、前記制限ロッド３２の一端が前記方形溝３１の中に位置しており、また、前記制限ロッド３２は前記ハンマー柄３０が前記保存溝２９の中でスライドすることを止めることができる。
【００１４】
有益的には、前記ハンマー取り付け台２６の外側には環状ブロック１０が設けられ、前記環状ブロック１０の中には縦溝２１が上下に対称的に設けられ、上側の前記縦溝２１を例にし、前記縦溝２１の左端壁には弾性溝１６が設けられ、前記弾性溝１６の下端壁には弾性バネ１７が固定的に設けられ、前記弾性バネ１７の上端には前記弾性溝１６とスライドできるように連結された弾性ブロック１８が固定され、前記弾性ブロック１８の右端面には右端が前記縦溝２１の中に位置している弾性ロッド１９が固定的に設けられ、前記弾性ロッド１９の右端には上端が外部に位置している押しブロック２０が固定的に設けられ、前記ハンマー取り付け台２６の中には環状溝３９が設けられ、前記環状溝３９の中には二つの弧形面ブロック４４が対称的にスライドできるように設けられ、前記弧形面ブロック４４には前記環状ブロック１０と固定的に連結された斜めロッド２７が固定的に設けられ、また、前記環状ブロック１０を回転させると、前記押しブロック２０を前記弧形ブロック１１の位置に回転させることができ、前記押しブロック２０を押すと、前記弧形ブロック１１を回転させることができる。
【００１５】
以下、図１−４及び上記説明した本申請の車用緊急脱出ハンマーの具体的な構成を参照し、本申請の車用緊急脱出ハンマーの使用方法を説明する：初期状態では、トーションバネ３８が圧縮状態にある；
【００１６】
装置を車内の頂部やサイドなどの取り出しやすいところに固定し、環状ブロック１０を指定の位置まで回し、二つの押しブロック２０を押し、一つの押しブロック２０が左側の弧形ブロック１１を反時計回りに回転連動させ、左側のロープ２４を巻き、左側のリール２５を回転連動させ、これにより左側の伝動歯車３３を回転連動させ、左側の伝動歯車３３と左側の制限ロッド３２との噛合により、左側の制限ロッド３２を左へ運動連動させて左側の方形溝３１から離れさせる；
【００１７】
同時に、もう一つの押しブロック２０が右側の弧形ブロック１１を押し時計回りに回転させ、これにより右側をロープ２４を放し、右側のトーションバネ３８が復帰し、右側の伝動歯車３３を回転連動させ、右側の伝動歯車３３と右側の制限ロッド３２との噛合により、右側の制限ロッド３２を右に運動連動させて右側の方形溝３１から離れさせ、その時、ハンマー柄３０を保存溝２９から取り出して応急に使用することができ、使用後にまた環状ブロック１０を指定の位置に回し、同時に二つの押しブロック２０を押し、ハンマー柄３０を保存溝２９の中にいれて固定することができる。
【００１８】
本発明の有益効果は：本発明は取り付けが簡単であり、条件が満たされた時だけに取り出すことができ、子供がいたずらで取ることができなく、これにより必要の時にすぐ取ることができ、緊急状況で使用者の身の安全を守ることができ、日常の状況で意外にアラーム音が鳴ることもない。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。